(57)【特許請求の範囲】
【請求項１】
多孔質材料により形成してなる一側層と、
当該一側層に積層されて少なくとも１枚のフィルムからなる非通気薄膜層として形成される中側層と、
前記非通気薄膜層を介し前記一側層に対向するように前記非通気薄膜層に積層されて騒音の低周波数領域との関連にて透過共鳴現象を発生するような開孔径及び開孔率を有する複数の開孔部を分散状に有するように多孔質材料からなる孔開き多孔質層として形成してなる他側層とを備えて、
前記孔開き多孔質層の各孔開き部分に対する前記非通気薄膜層の各対応部位は、騒音の低周波数領域における透過共鳴現象を抑制し得るように、前記非通気薄膜層を介し前記孔開き多孔質層に入射する騒音に応じ，前記非通気薄膜層の前記孔開き多孔質層の層部分に対する前記非通気薄膜層の対応部位との間において位相のずれを伴う振動を生ずるようになっている車両用防音体。
【請求項２】
前記非通気薄膜層は、前記一側層に融着される熱可塑性材料製一側融着フィルムと、前記熱可塑性材料よりも融点の高い熱可塑性材料により形成されて前記一側融着フィルムを介し前記一側層に対向するように前記一側融着フィルムと融着されるバリアフィルムと、当該バリアフィルムの形成材料よりも融点の低い熱可塑性材料により形成されて前記バリアフィルムを介し前記一側融着フィルムに対向するように前記バリアフィルムに融着される他側融着フィルムとでもって、３層フィルム構造体として構成されており、
前記孔開き多孔質層は、前記３層フィルム構造体の前記他側融着フィルムと融着されており、
前記孔開き多孔質層の各孔開き部分に対する前記３層フィルム構造体の対応部位は、騒音の低周波数領域における透過共鳴現象を抑制し得るように、前記３層フィルム構造体を介し前記孔開き多孔質層に入射する騒音に応じ，前記３層フィルム構造体の前記孔開き多孔質層の層部分に対する対応部位との間にて位相のずれを伴う振動を生ずるようになっていることを特徴とする請求項１に記載の車両用防音体。
【請求項３】
多孔質材料により形成してなる一側層と、
当該一側層に積層されて少なくとも１枚のフィルムからなる通気薄膜層として形成してなる中側層と、
前記通気薄膜層を介し前記一側層に対向するように前記通気薄膜層に積層してなる他側層とを備えて、
前記通気薄膜層は、騒音の低周波数領域との関連にて透過共鳴現象を発生し得る０．０１（％）〜５（％）の範囲以内の開孔率及び０．１（ｍｍ）〜２（ｍｍ）の範囲以内の開孔径を有する複数の開孔部を分散状に形成してなり、
前記他側層は、多孔質材料により複数の開孔部を分散状に有する孔開き多孔質層として形成されており、
前記孔開き多孔質層の各孔開き部分に対する前記通気薄膜層の各対応部位は、騒音の低周波数領域における透過共鳴現象を抑制し得るように、前記通気薄膜層を介し前記孔開き多孔質層に入射する騒音に応じ，前記通気薄膜層の前記孔開き多孔質層の層部分に対する前記通気薄膜層の対応部位との間において位相のずれを伴う振動を生ずるようになっている車両用防音体。
【請求項４】
前記通気薄膜層は、前記一側層に融着される熱可塑性材料製一側融着フィルムと、前記熱可塑性材料よりも融点の高い熱可塑性材料により形成されて前記一側融着フィルムを介し前記一側層に対向するように前記一側融着フィルムと融着されるバリアフィルムと、当該バリアフィルムの形成材料よりも融点の低い熱可塑性材料により形成されて前記バリアフィルムを介し前記一側融着フィルムに対向するように前記バリアフィルムに融着される他側融着フィルムとでもって、騒音の低周波数領域との関連にて透過共鳴現象を発生するような開孔率及び開孔径を有する複数の開孔部を分散状に備えるように形成してなる３層フィルム構造体であり、
前記孔開き多孔質層は、前記３層フィルム構造体の前記他側融着フィルムと融着されており、
前記孔開き多孔質層の各開孔部に対する前記３層フィルム構造体の対応部位は、騒音の低周波数領域における透過共鳴現象を抑制し得るように、前記３層フィルム構造体を介し前記孔開き多孔質層に入射する騒音に応じ，前記３層フィルム構造体の前記孔開き多孔質層の層部分に対する対応部位との間にて位相のずれを伴う振動を生ずるようになっていることを特徴とする請求項３に記載の車両用防音体。
【請求項５】
前記孔開き多孔質層は、前記複数の開孔部を、騒音の低周波数領域から高周波数領域に亘る広周波数範囲にて前記騒音を軽減し得るような５（％）〜５０（％）の範囲以内の開孔率にて形成してなることを特徴とする請求項２または４に記載の車両用防音体。
【請求項６】
車両の車体の板状部材に装着されるサイレンサーにおいて、
請求項１〜５のいずれか１つに記載の防音体が、前記一側層にて、前記車体の板状部材に装着されることを特徴とする車両用サイレンサー。
【請求項７】
前記車両の車体の板状部材は、自動車の車体のエンジンルームと車室を区画するダッシュパネルであって、
前記防音体は、前記一側層にて、ダッシュサイレンサーとして、前記ダッシュパネルに前記車室の内側から装着されることを特徴とする請求項６に記載の車両用サイレンサー。
【請求項８】
前記車両の車体の板状部材は、トラックの車体の荷台と車室とを区画するバックパネルであって、
前記防音体は、前記一側層にて、バックパネルサイレンサーとして、前記バックパネルに前記車室の内側から装着されることを特徴とする請求項６に記載の車両用サイレンサー。
【発明の詳細な説明】
【技術分野】
【０００１】
本発明は、騒音を防音するに適した車両用防音体及び車両内への伝播騒音や車両内での騒音等を防音するに適した車両用サイレンサーに関する。
【背景技術】
【０００２】
従来、この種の防音体においては、下記特許文献１に記載された超軽量な防音体が提案されている。この超軽量な防音体は、吸音層及び非通気の共振層を備えており、非通気の共振層は、接着層を介し吸音層に接着されている。これにより、当該防音体は、吸音層と非通気の共振層とをその界面で共振させることで吸音するようになっている。
【先行技術文献】
【特許文献】
【０００３】
【特許文献１】特許第３９３０５０６号公報
【発明の概要】
【発明が解決しようとする課題】
【０００４】
ところで、上述のように構成した防音体においては、吸音層は、フェルト等からなる通気層である。一方、非通気の共振層は、非通気層であることに変わりはない。
【０００５】
従って、当該防音体が、その吸音層にて、自動車のエンジンルームと車室との境界部品であるダッシュパネルに沿い配設されると、エンジンルーム内で発生するエンジン音は、騒音として、ダッシュパネル及び防音体を順次通り車室内に伝播することとなる。
【０００６】
ここで、当該騒音は、ダッシュパネル、吸音層、接着層及び非通気の共振層に順次入射する。このとき、吸音層がフェルト等の通気性材料から形成されていることから、当該吸音層は、空気層として機能する。このため、上述のように騒音が、ダッシュパネル及び吸音層である空気層に順次入射し、さらに接着層を介し非通気の共振層に順次する過程において、吸音層である空気層が、ダッシュパネルを介する騒音の音圧に応じて、非通気の共振層との間において、ばね層として機能することとなる。
【０００７】
これに伴い、ダッシュパネル及び非通気の共振層が、吸音層である空気層のばね作用のもとに、透過共鳴現象を発生し、騒音の低周波数領域において防音体としての吸音性能の低下を招く。
【０００８】
そこで、本発明は、以上のようなことに対処するため、薄膜層と孔開き層との積層構造を活用して、より一層軽量で、騒音の低周波数領域との関連にて生じがちな透過共鳴現象を伴うことなく、騒音を広い周波数範囲に亘り十分に防音するようにした車両用防音体及び車両用サイレンサーを提供することを目的とする。
【課題を解決するための手段】
【０００９】
上記課題の解決にあたり、本発明に係る車両用防音体は、請求項１の記載によれば、
多孔質材料により形成してなる一側層（４０、８０）と、
当該一側層に積層されて少なくとも１枚のフィルムからなる非通気薄膜層として形成される中側層（５０、９０）と、
非通気薄膜層を介し一側層に対向するように非通気薄膜層に積層されて騒音の低周波数領域との関連にて透過共鳴現象を発生するような開孔径及び開孔率を有する複数の開孔部（６１）を分散状に有するように多孔質材料からなる孔開き多孔質層として形成してなる他側層（６０、１００）とを備えて、
孔開き多孔質層の各孔開き部分に対する非通気薄膜層の各対応部位は、騒音の低周波数領域における透過共鳴現象を抑制し得るように、非通気薄膜層を介し孔開き多孔質層に入射する騒音に応じ，非通気薄膜層の孔開き多孔質層の層部分に対する非通気薄膜層の対応部位との間において位相のずれを伴う振動を生ずるようになっている。
【００１０】
このように構成することで、騒音が車両の車体の板状部材を介し当該車両用防音体にその一側層から入射するように、当該車両用防音体が車体の板状部材に沿い配設される場合、当該騒音が車体の板状部材に入射したとき、当該騒音は、車体の板状部材を通り車両用防音体にその一側層から入射する。すると、当該騒音は、防音体の一側層によりその形成材料である多孔質材料のもとに吸音されて、非通気薄膜層に入射する。ついで、このように非通気薄膜層に入射した騒音は、当該非通気薄膜層によりその振動のもとに遮音されて、孔開き多孔質層に入射した後、当該孔開き多孔質層により吸音される。    
【００１１】
ここで、孔開き多孔質層は、多孔質材料により複数の開孔部を分散状に有するように形成されているから、当該孔開き多孔質層は、開孔部を有さない場合に比べて軽量である。このため、防音体自体も軽量となる。
【００１２】
また、当該防音体は、一側層及び非通気薄膜層でもって、車体の板状部材と共に３層積層構造体を構成する。ここで、当該３層積層構造体は、非通気薄膜層と車体の板状部材との間に一側層を挟むように積層することで、構成される。
【００１３】
また、一側層は、多孔質材料により形成されていることから、当該一側層は、空気層に相当する。従って、上述の３層積層構造体は、非通気薄膜層と車体の板状部材との間に空気層を挟むことで、構成されることとなる。
【００１４】
このため、上述のように騒音が車体の板状部材を通り当該防音体の一側層及び非通気薄膜層にかけて入射する過程において、板状部材が騒音の音圧の変動を受けて振動すると、一側層が、当該振動に対し、空気層のようなばね作用を発揮する。
【００１５】
従って、非通気薄膜層が、一側層のばね作用を受けて、車体の板状部材と共に振動する。このとき、非通気薄膜層及び一側層は、騒音の音圧の変動に基づき、板状部材と共に、全面的に振動するため、非通気薄膜層及び一側層は、板状部材と共に、騒音の低周波数領域において透過共鳴現象を起こし易い。
【００１６】
然るに、孔開き多孔質層が、上述のごとく、非通気薄膜層を介し一側層に対向するように非通気薄膜層に積層されている。このため、上述のように非通気薄膜層が一側層及び板状部材と共に全面的に振動すると、孔開き多孔質層が非通気薄膜層の振動を受けて振動することとなる。
【００１７】
ここで、孔開き多孔質層は、騒音の低周波数領域との関連にて透過共鳴現象を発生するような開孔径及び開孔率を有する複数の開孔部を分散状に有するように多孔質材料でもって、形成されており、当該孔開き多孔質層は層部分と孔開き部分とを有するように構成される。従って、非通気薄膜層は、孔開き多孔質層の層部分に対する対応部位にて当該層部分と共に２層の積層構造を構成するものの、孔開き多孔質層の孔開き部分に対する対応部位では、一層のままである。
【００１８】
このため、上述のように孔開き多孔質層が非通気薄膜層の振動を受けると、当該孔開き多孔質層の各孔開き部分に対する非通気薄膜層の各対応部位は、騒音の低周波数領域における透過共鳴現象を抑制し得るように、非通気薄膜層を介し孔開き多孔質層に入射する騒音に応じ，非通気薄膜層の孔開き多孔質層の層部分に対する非通気薄膜層の対応部位との間において位相のずれを伴う振動を生ずる。
【００１９】
要するに、非通気薄膜層と孔開き多孔質層の２層積層構造では、非通気薄膜層のうち孔開き多孔質層の層部分に対する対応部位と、非通気薄膜層のうち孔開き多孔質層の孔開き部分に対する対応部位との間において互いに位相のずれた振動を生ずる。
【００２０】
従って、上述のように防音体が、非通気薄膜層及び一側層にて、板状部材と共に、騒音の低周波数領域において、透過共鳴現象を起こし易い状況にあっても、当該透過共鳴現象の発生が、上述した非通気薄膜層と孔開き多孔質層との間に生ずる振動の位相のずれに基づき、良好に抑制され得る。このことは、当該防音体において騒音の低周波数領域にて発生し易い透過共鳴現象に起因する吸音性能の低下が、上述した非通気薄膜層と孔開き多孔質層との間に生ずる振動の位相のずれに基づき、良好に防止され得ることを意味する。
【００２１】
その結果、当該防音体は、板状部材との関連において、上述のように騒音の低周波数領域にて発生し易い透過共鳴現象を抑制することで、騒音の低周波数領域から高周波数領域に亘る広い周波数範囲において、当該騒音を良好に防音可能な車両用防音体として提供され得る。また、非通気薄膜層は、その名の通り、非通気性を有する薄膜からなるから、当該非通気薄膜層は、多孔質材料からなる孔開き多孔質層に比して軽量である。このため、車両用防音体が従来に比してより一層軽量な防音体として提供され得る。
【００２４】
また、本発明は、請求項２の記載によれば、請求項１に記載の車両用防音体において、
非通気薄膜層は、一側層に融着される熱可塑性材料製一側融着フィルム（５０ａ）と、上記熱可塑性材料よりも融点の高い熱可塑性材料により形成されて上記一側融着フィルムを介し一側層に対向するように上記一側融着フィルムと融着されるバリアフィルム（５０ｂ）と、当該バリアフィルムの形成材料よりも融点の低い熱可塑性材料により形成されて上記バリアフィルムを介し上記一側融着フィルムに対向するように上記バリアフィルムに融着される他側融着フィルム（５０ｃ）とでもって、３層フィルム構造体として構成されており、
孔開き多孔質層は、３層フィルム構造体の他側融着フィルムと融着されており、
孔開き多孔質層の各孔開き部分に対する３層フィルム構造体の対応部位は、騒音の低周波数領域における透過共鳴現象を抑制し得るように、３層フィルム構造体を介し孔開き多孔質層に入射する騒音に応じ，３層フィルム構造体の孔開き多孔質層の層部分に対する対応部位との間にて位相のずれを伴う振動を生ずるようになっている。
【００２５】
このように、非通気薄膜層は、一側融着フィルム、バリアフィルム及び他側融着フィルムからなる３層フィルム構造体として構成されるとともに、孔開き多孔質層は、３層フィルム構造体の他側融着フィルムと融着されている。
ここで、孔開き多孔質層の各孔開き部分に対する３層フィルム構造体の対応部位は、騒音の低周波数領域における透過共鳴現象を抑制し得るように、３層フィルム構造体を介し孔開き多孔質層に入射する騒音に応じ，３層フィルム構造体の孔開き多孔質層の層部分に対する対応部位との間にて位相のずれを伴う振動を生ずるようになっている。
これによれば、上述のように非通気薄膜層が３層フィルム構造体として構成されていても、請求項１に記載の発明と同様の作用効果が達成され得る。
【００２６】
また、本発明に係る車両用防音体は、請求項３の記載によれば、
多孔質材料により形成してなる一側層（４０）と、
当該一側層に積層されて少なくとも１枚のフィルムからなる通気薄膜層として形成してなる中側層（１１０）と、
通気薄膜層を介し一側層に対向するように通気薄膜層に積層してなる他側層（６０）とを備えて、
通気薄膜層は、騒音の低周波数領域との関連にて透過共鳴現象を発生し得る０．０１（％）〜５（％）の範囲以内の開孔率及び０．１（ｍｍ）〜２（ｍｍ）の範囲以内の開孔径を有する複数の開孔部（１１１）を分散状に形成してなり、
他側層は、多孔質材料により複数の開孔部（６１）を分散状に有する孔開き多孔質層として形成されており、
孔開き多孔質層の各孔開き部分に対する通気薄膜層の各対応部位は、騒音の低周波数領域における透過共鳴現象を抑制し得るように、通気薄膜層を介し孔開き多孔質層に入射する騒音に応じ，通気薄膜層の孔開き多孔質層の層部分に対する通気薄膜層の対応部位との間において位相のずれを伴う振動を生ずるようになっている。
【００２７】
このように構成することで、騒音が車両の車体の板状部材を介し当該車両用防音体にその一側層から入射するように、当該車両用防音体が車体の板状部材に沿い配設される場合、当該騒音が車体の板状部材に入射したとき、当該騒音は、車体の板状部材を通り車両用防音体にその一側層から入射する。すると、当該騒音は、防音体の一側層によりその形成材料である多孔質材料のもとに吸音されて通気薄膜層に入射する。
【００２８】
ここで、通気薄膜層は、一側層を、車体の板状部材との間に挟むように積層することで、一側層及び板状部材とともに、３層積層構造体を構成する。しかも、通気薄膜層は、上述のごとく、騒音の低周波数領域との関連にて透過共鳴現象を発生し得る０．０１（％）〜５（％）の範囲以内の開孔率及び０．１（ｍｍ）〜２（ｍｍ）の範囲以内の開孔径を有する複数の開孔部を分散状に形成してなるものである。
【００２９】
また、一側層は、多孔質材料により形成されていることから、当該一側層は、空気層に相当する。従って、上述の３層積層構造体は、通気薄膜層と車体の板状部材との間に空気層としての一側層を挟むことで、構成されることとなる。
【００３０】
このため、上述のように騒音が車体の板状部材を通り当該防音体の一側層及び通気薄膜層にかけて入射すると、この入射過程において、板状部材が騒音の音圧の変動を受けて振動する。すると、一側層が、当該振動に対し、空気層のようなばね作用を発揮する。
【００３１】
従って、通気薄膜層が、一側層のばね作用を受けて、車体の板状部材と共に振動する。このとき、一側層及び通気薄膜層は、騒音の音圧の変動に基づき、板状部材と共に、全面的に振動することとなるが、一側層は、多孔質材料からなるから空気層として機能する。また、通気薄膜層は、上述のごとく、騒音の低周波数領域との関連にて透過共鳴現象を発生し得る０．０１（％）〜５（％）の範囲以内の開孔率及び０．１（ｍｍ）〜２（ｍｍ）の範囲以内の開孔径を有する複数の開孔部を分散状に形成されてなるものである。このことは、通気薄膜層は、上述した非通気薄膜層と実質的に同様に騒音の低周波数領域との関連にて透過共鳴現象を発生し得ることを意味する。
【００３２】
このため、当該通気薄膜層及び一側層は、上述した非通気薄膜層及び一側層の場合と実質的に同様に、板状部材と共に、騒音の低周波数領域において透過共鳴現象を起こし易い。
【００３３】
然るに、孔開き多孔質層が、通気薄膜層を介し一側層に対向するように当該通気薄膜層に積層されている。このため、上述のように通気薄膜層が一側層及び板状部材と共に全面的に振動すると、孔開き多孔質層が当該通気薄膜層の振動を受けて振動することとなる。
【００３４】
ここで、孔開き多孔質層は、騒音の低周波数領域との関連にて透過共鳴現象を発生するような開孔径及び開孔率を有する複数の開孔部を分散状に有するように多孔質材料でもって、形成されており、当該孔開き多孔質層は、層部分と孔開き部分とで構成される。従って、通気薄膜層は、孔開き多孔質層の層部分に対する対応部位にて当該層部分と共に２層の積層構造を構成するものの、孔開き多孔質層の孔開き部分に対する対応部位では、一層のままである。
【００３５】
従って、上述のように孔開き多孔質層が通気薄膜層の振動を受けると、孔開き多孔質層の各孔開き部分に対する通気薄膜層の各対応部位は、騒音の低周波数領域における透過共鳴現象を抑制し得るように、通気薄膜層を介し孔開き多孔質層に入射する騒音に応じ，通気薄膜層の孔開き多孔質層の層部分に対する通気薄膜層の対応部位との間において位相のずれを伴う振動を生ずる。
換言すれば、孔開き多孔質層の孔開き部分とこれに対する通気薄膜層の対応部位は、通気薄膜層の対応部位のみの一層構造であるから、通気薄膜層の振動に併せて振動する。一方、孔開き多孔質層の層部分とこれに対する通気薄膜層の対応部位は、２層構造であるから、上述の一層構造の振動とは位相のずれを伴う振動をする。
【００３６】
要するに、通気薄膜層と孔開き多孔質層の２層積層構造においては、通気薄膜層のうち孔開き多孔質層の層部分に対する対応部位と、通気薄膜層のうち孔開き多孔質層の孔開き部分に対する対応部位との間では互いに位相のずれた振動を生ずる。
【００３７】
従って、上述のように、通気薄膜層が、騒音の低周波数領域との関連にて透過共鳴現象を発生し得る０．０１（％）〜５（％）の範囲以内の開孔率及び０．１（ｍｍ）〜２（ｍｍ）の範囲以内の開孔径を有する複数の開孔部を分散状に形成してなることから、当該防音体が、通気薄膜層及び一側層にて、板状部材と共に、騒音の低周波数領域において、透過共鳴現象を起こし易い状況にあっても、当該透過共鳴現象の発生が、上述した通気薄膜層と孔開き多孔質層との間に生ずる振動の位相のずれに基づき、良好に抑制され得る。
このことは、当該防音体において、通気薄膜層が、上述のように、騒音の低周波数領域との関連にて透過共鳴現象を発生し得る開孔率及び開孔径を有する複数の開孔部を分散状に形成してなるものであることに基づき、騒音の低周波数領域にて発生し易い透過共鳴現象に起因する吸音性能の低下が、上述した通気薄膜層と孔開き多孔質層との間に生ずる振動の位相のずれに基づき、良好に防止され得ることを意味する。
【００３８】
その結果、通気薄膜層が、上述のように、騒音の低周波数領域との関連にて透過共鳴現象を発生し得る０．０１（％）〜５（％）の範囲以内の開孔率及び０．１（ｍｍ）〜２（ｍｍ）の範囲以内の開孔径を有する複数の開孔部を分散状に形成してなるものであることを前提として、当該防音体は、通気薄膜層、一側層及び板状部材からなる３層積層構造体のもとに騒音の低周波数領域にて発生し得る透過共鳴現象を抑制することで、騒音の低周波数領域から高周波数領域に亘る広い周波数範囲において、当該騒音を良好に防音可能な車両用防音体として提供され得る。
【００３９】
また、孔開き多孔質層は、開孔部を有さない場合に比べて軽量である。このため、防音体自体も軽量となる。しかも、通気薄膜層は、通気性を有する薄膜からなるものである。従って、当該通気薄膜層は、多孔質材料からなる孔開き多孔質層に比して軽量である。このため、車両用防音体が従来に比してより一層軽量な防音体として提供され得る。
【００４２】
また、本発明は、請求項４の記載によれば、請求項３に記載の車両用防音体において、
通気薄膜層は、一側層に融着される熱可塑性材料製一側融着フィルムと、上記熱可塑性材料よりも融点の高い熱可塑性材料により形成されて上記一側融着フィルムを介し一側層に対向するように上記一側融着フィルムと融着されるバリアフィルムと、当該バリアフィルムの形成材料よりも融点の低い熱可塑性材料により形成されて上記バリアフィルムを介し上記一側融着フィルムに対向するように上記バリアフィルムに融着される他側融着フィルムとでもって、騒音の低周波数領域との関連にて透過共鳴現象を発生するような開孔率及び開孔径を有する複数の開孔部を分散状に備えるように形成してなる３層フィルム構造体であり、
孔開き多孔質層は、３層フィルム構造体の上記他側融着フィルムと融着されており、
孔開き多孔質層の各開孔部に対する３層フィルム構造体の対応部位は、騒音の低周波数領域における透過共鳴現象を抑制し得るように、３層フィルム構造体を介し孔開き多孔質層に入射する騒音に応じ，３層フィルム構造体の孔開き多孔質層の層部分に対する対応部位との間にて位相のずれを伴う振動を生ずるようになっていることを特徴とする。
【００４３】
これによれば、通気薄膜層を、一側融着フィルム、バリアフィルム及び他側融着フィルムでもって、騒音の低周波数領域との関連にて透過共鳴現象を発生するような開孔率及び開孔径を有する複数の開孔部を分散状に形成してなる３層フィルム構造体として構成するとともに、孔開き多孔質層を、３層フィルム構造体の他側融着フィルムと融着する。
ここで、孔開き多孔質層の各開孔部に対する３層フィルム構造体の対応部位は、騒音の低周波数領域における透過共鳴現象を抑制し得るように、３層フィルム構造体を介し孔開き多孔質層に入射する騒音に応じ，３層フィルム構造体の孔開き多孔質層の層部分に対する対応部位との間にて位相のずれを伴う振動を生ずるようになっている。これによっても、請求項３に記載の発明と同様の作用効果が達成され得る。
【００４４】
また、本発明は、請求項５の記載によれば、請求項２または４に記載の車両用防音体において、
孔開き多孔質層は、上記複数の開孔部を、騒音の低周波数領域から高周波数領域に亘る広周波数範囲にて上記騒音を軽減し得るような５（％）〜５０（％）の範囲以内の開孔率にて形成してなることを特徴とする。
【００４５】
このように孔開き多孔質層を構成することで、請求項２または４に記載の発明の作用効果がより一層向上され得る。
【００４６】
また、本発明は、請求項６の記載によれば、車両の車体の板状部材に装着されるサイレンサーにおいて、
請求項１〜５のいずれか１つに記載の防音体が、一側層にて、上記車体の板状部材に装着されることを特徴とする。
【００４７】
これにより、車両用サイレンサーは、その装着部位に伝播する騒音を、請求項１〜５のいずれか１つに記載の発明の防音機能により良好に防音することができる。
【００４８】
また、本発明は、請求項７の記載によれば、請求項６に記載の車両用サイレンサーにおいて、
車両の車体の板状部材は、自動車の車体のエンジンルームと車室を区画するダッシュパネル（３０）であって、
防音体は、一側層にて、ダッシュサイレンサー（ＤＳ）として、ダッシュパネルに上記車室の内側から装着されることを特徴とする。
【００４９】
これにより、ダッシュサイレンサーは、エンジンルームからダッシュパネルを介し伝播する騒音を、請求項６に記載の発明と同様の防音機能により良好に防音することができる。
【００５０】
ここで、防音体の一側層がダッシュパネルに装着されているから、中側層及び一側層でもってダッシュパネルとの間に上述の透過共鳴現象を起こし易い３層積層構造体となる。しかしながら、他側層が、孔開き多孔質層として、非通気薄膜層或いは上記複数の開孔部を形成してなる通気薄膜層である中側層を介し、多孔質材料からなる一側層に対向するように中側層に積層されていることから、上述のごとく、中側層と他側層との積層構造において、中側層が、孔開き多孔質層の層部分に対する対応部位と、孔開き多孔質層の孔開き部分に対する対応部位との間において、振動の位相のずれを生ずる。
【００５１】
このため、上述のように防音体が、中側層及び一側層にて、板状部材と共に、騒音の低周波数領域において、透過共鳴現象を起こし易い状況にあっても、当該透過共鳴現象の発生が、上述した中側層と孔開き多孔質層との間に生ずる振動の位相のずれに基づき、良好に抑制され得る。
【００５２】
その結果、ダッシュサイレンサーにおいては、当該防音体は、板状部材との関連において、上述のごとく騒音の低周波数領域において発生し易い透過共鳴現象を抑制することで、騒音の低周波数領域から高周波数領域に亘る広い周波数範囲において、当該騒音を良好に防音可能で従来に比してより一層軽量な防音体としての提供が可能となる。
【００５３】
また、本発明は、請求項８の記載によれば、請求項６に記載の車両用サイレンサーにおいて、
車両の車体の板状部材は、トラックの車体の荷台と車室を区画するバックパネル（７０）であって、
防音体は、一側層にて、バックパネルサイレンサー（ＢＳ）として、バックパネルに上記車室の内側から装着されることを特徴とする。
【００５４】
ここで、バックパネルサイレンサーにおいては、防音体の一側層がバックパネルに装着されているから、当該防音体は、バックパネル、空気層である一側層及び非通気薄膜層或いは上記複数の開孔部を形成してなる通気薄膜層である中側層でもって、上述した透過共鳴現象を起こし易い３層積層構造体を構成する。
【００５５】
しかしながら、バックパネルサイレンサーにおいては、上述のように、防音体が、中側層及び一側層にて、バックパネルと共に、騒音の低周波数領域において、透過共鳴現象を起こし易い状況にあっても、当該透過共鳴現象の発生が、上述した中側層と孔開き多孔質層との間に生ずる振動の位相のずれに基づき、良好に抑制され得る。
【００５６】
これによれば、バックパネルサイレンサーは、車両の後輪側や荷台側からバックパネルを介し伝播する騒音を、防音体の防音機能により良好に防音することができる。
【００５７】
なお、上記各手段の括弧内の符号は、後述する実施形態に記載の具体的手段との対応関係を示すものである。
【図面の簡単な説明】
【００５８】
【図１】本発明に係る車両用サイレンサーの第１実施形態を適用した自動車の模式的部分概略断面図である。
【図２】図１のダッシュサイレンサーの拡大縦断面図である。
【図３】図１のダッシュサイレンサーの拡大正面図である。
【図４】図３の４−４線に沿うダッシュサイレンサーの拡大部分断面図である。
【図５】図２のダッシュサイレンサーの中側層の拡大部分断面図である。
【図６】図３の他側層を示す部分拡大正面図である。
【図７】図６の７−７線に沿う拡大断面図である。
【図８】上記第１実施形態における実施例及び比較例の透過音損失特性を騒音の周波数との関係にて表す各グラフを示す図である。
【図９】上記第１実施形態における実施例及び各比較例の吸音率特性を騒音の周波数との関係にて表す各グラフを示す図である。
【図１０】本発明に係る車両用サイレンサーの第２実施形態を適用したトラックの模式的概略断面図である。
【図１１】図１０のバックパネルサイレンサーの拡大正面図である。
【図１２】図１０のバックパネルサイレンサー拡大部分断面図である。
【図１３】本発明の第３実施形態の要部を示す拡大断面図である。
【図１４】図１３の他側層を示す部分正面図である。
【図１５】図１３の中側層を示す部分破断断面図である。
【図１６】上記第３実施形態における実施例及び各比較例の透過音損失特性を騒音の周波数との関係にて表す各グラフを示す図である。
【図１７】上記第３実施形態における実施例及び比較例の吸音率特性を騒音の周波数との関係にて表す各グラフを示す図である。
【発明を実施するための形態】
【００５９】
以下、本発明の各実施形態を図面により説明する。
（第１実施形態）
図１は、本発明の第１実施形態を示しており、当該第１実施形態においては、本発明を車両のうち自動車に適用した例が示されている。当該自動車は、エンジンルーム１０及び車室２０を備えており、車室２０は、当該自動車において、エンジンルーム１０に後続して設けられている。なお、エンジンルーム１０内には、エンジンＥが配設されている。また、車室２０内には、前側座席Ｓが配設されている。
【００６０】
また、当該自動車は、ダッシュパネル３０（ダッシュボード３０ともいう）を備えている。このダッシュパネル３０は、図１にて示す縦断面湾曲形状を有するように形成されており、当該ダッシュパネル３０は、エンジンルーム１０と車室２０との境界に設けられて、これらエンジンルーム１０及び車室２０を相互に区画している。なお、本第１実施形態において、ダッシュパネル３０は、厚さ０．８（ｍｍ）の鉄板でもって形成されている。また、ダッシュパネル３０は、その延出上端部にて、車室２０のフロントウインドシールドの下縁部に連結されており、このダッシュパネル３０の延出下端部は、車室２０の床壁の前縁部に連結されている。
【００６１】
また、当該自動車は、ダッシュサイレンサーＤＳを備えている。このダッシュサイレンサーＤＳは、図１にて示すごとく、ダッシュパネル３０と同様の縦断面湾曲形状にて、当該ダッシュパネル３０に沿い車室２０側から組み付けられている。なお、本第１実施形態では、ダッシュサイレンサーＤＳの外形面形状（図３参照）は、ダッシュパネル３０の外形面形状とほぼ同一となっている。
【００６２】
当該ダッシュサイレンサーＤＳは、図２〜図４のいずれかにて示すごとく、一側層４０、中側層５０及び他側層６０を備えており、これら一側層４０、中側層５０及び他側層６０は、順次、当該自動車の前側から後側にかけて積層して形成されている。なお、図１にて、符号Ｐは、インストルメントパネルを示す。
【００６３】
一側層４０は、吸音層としての役割を果たすべく、所定の多孔質材料により所定の体積密度範囲以内の体積密度（例えば、０．０５（ｇ／ｃｍ３））、所定の目付量範囲以内の目付量（例えば、１０００（ｇ／ｍ２））及び所定の厚さ範囲以内の厚さ（例えば、２０（ｍｍ））でもって、図２にて示す縦断面形状から分かるように、ダッシュパネル３０に沿うように形成されている。
【００６４】
本第１実施形態において、上述した所定の多孔質材料としては、フェルトが採用されている。また上記所定の体積密度範囲は、０．０３（ｇ／ｃｍ３）〜０．１（ｇ／ｃｍ３）と設定されている。上記所定の目付量範囲は、１００（ｇ／ｍ２）〜１，６００（ｇ／ｍ２）と設定されている。上記所定の厚さ範囲は、３（ｍｍ）〜６５（ｍｍ）と設定されている。
【００６５】
中側層５０は、非通気薄膜層として、図２にて示すごとく、一側層４０に沿うように当該一側層４０と同様の縦断面湾曲形状に形成されており、当該中側層５０は、一側層４０と他側層６０との間に挟持されている（図２及び図３参照）。
【００６６】
当該中側層５０は、図５にて示すごとく、一側融着フィルム５０ａ、バリアフィルム５０ｂ及び他側融着フィルム５０ｃを積層して形成されている。一側融着フィルム５０ａは、所定の一側融着フィルム用熱可塑性材料により、所定の厚さでもって形成されており、この一側融着フィルム５０ａは、その前面にて、一側層４０にその後面に沿い融着されている。
【００６７】
本第１実施形態において、上述した一側融着フィルム５０ａの所定の厚さは、２０（μｍ）に設定されている。また、上述した所定の一側融着フィルム用熱可塑性材料としては、ポリエチレンが採用されている。
【００６８】
バリアフィルム５０ｂは、所定のバリアフィルム用熱可塑性材料により、所定の厚さでもって形成されており、当該バリアフィルム５０ｂは、その前面にて、一側融着フィルム５０ａの後面に融着されている。
【００６９】
本第１実施形態において、上述したバリアフィルム５０ｂの所定の厚さは、１５（μｍ）に設定されている。また、上述した所定のバリアフィルム用熱可塑性材料としては、ナイロンが採用されている。
【００７０】
また、本第１実施形態において、上述のごとくバリアフィルム５０ｂの形成材料としてナイロンを採用したのは、当該ナイロンが、上述した一側融着フィルム５０ａの形成材料であるポリエチレンよりも高い融点を有するためである。
【００７１】
他側融着フィルム５０ｃは、所定の他側融着フィルム用熱可塑性材料により、一側融着フィルム５０ａの厚さと同様の所定の厚さ（２０（μｍ））でもって形成されており、この他側融着フィルム５０ｃは、その前面にて、バリアフィルム５０ｂの後面に沿い融着されている。
【００７２】
本第１実施形態において、上述した所定の他側融着フィルム用熱可塑性材料としては、上述した所定の一側融着フィルム用熱可塑性材料と同様に、ポリエチレンが採用されている。従って、一側融着フィルム５０ａ、バリアフィルム５０ｂ及び他側融着フィルム５０ｃを上述のごとく積層して相互に融着する際に、当該一側融着フィルム５０ａ、バリアフィルム５０ｂ及び他側融着フィルム５０ｃに対する加熱温度を、ナイロンの融点よりも低くポリエチレンの融点よりも高い温度とすることで、バリアフィルム５０ｂを溶融することなく一側融着フィルム５０ａ、バリアフィルム５０ｂ及び他側融着フィルム５０ｃを相互に融着することができる。
【００７３】
また、本第１実施形態では、中側層５０は、所定の厚さ範囲以内の厚さであって、一側融着フィルム５０ａ、バリアフィルム５０ｂ及び他側融着フィルム５０ｃの各厚さの総和は５５（μｍ）である。本第１実施形態において、中側層５０の上記所定の厚さ範囲は、２５（μｍ）〜８０（μｍ）に設定されている。
【００７４】
他側層６０は、所定の多孔質材料により、所定の体積密度範囲以内の体積密度０．１２（ｇ／ｃｍ３）、所定の厚さ範囲以内の厚さ５（ｍｍ）及び所定の目付量範囲以内の目付量６００（ｇ／ｍ２）でもって、中側層４０に沿うように当該中側層４０と同様の縦断面形状にて形成されており、当該他側層６０は、図３にて示すごとく、中側層５０を介し一側層４０に対向するように当該中側層５０に沿い積層されている。
【００７５】
本第１実施形態において、他側層６０の所定の体積密度範囲は、０．１（ｇ／ｃｍ３）〜０．４（ｇ／ｃｍ３）に設定されている。他側層６０の所定の厚さ範囲は、３（ｍｍ）〜１５（ｍｍ）に設定されている。また、他側層６０の所定の目付量範囲は、１００（ｇ／ｍ２）〜１６００（ｇ／ｍ２）と設定されている。なお、ダッシュサイレンサーＤＳとしての総厚さは、約２５（ｍｍ）となっている。
【００７６】
また、当該他側層６０は、孔開き層（以下、孔開き層６０ともいう）として構成されており、当該孔開き層６０は、図６或いは図７にて例示するごとく、複数の開孔部６１を備えている。当該複数の開孔部６１は、それぞれ、他側層６０に対しその厚さ方向に沿い横断面円形状にて貫通状に形成されている。ここで、当該複数の開孔部６１は、それぞれ、他側層６０の全面に亘り、所定の開孔率範囲内の開孔率２５（％）及び記所定の開孔径範囲の開孔径４０（ｍｍ）でもって、分散するように形成されている。
【００７７】
本第１実施形態において、上記所定の開孔率範囲及び上記所定の開孔径範囲は、それぞれ、ダッシュサイレンサーＤＳにおいて必要とされる周波数範囲（２００（Ｈｚ）〜６３００（Ｈｚ））内の周波数を有する騒音を、中側層５０の膜振動と多孔質材料からなる孔開き層６０の多孔質吸音機能により良好に吸音し得るように、５（％）〜５０（％）及び１０（ｍｍ）〜８０（ｍｍ）と設定されている。
【００７８】
本第１実施形態において、各開孔部６１の開孔率が上記所定の開孔率範囲から外れたり或いは各開口率６１の開孔径が上記所定の開孔径範囲から外れたりすると、孔開き層６０は良好な多孔質吸音機能を発揮し得なくなる。なお、上記所定の開孔率範囲における開孔率は、全ての開孔部６１の開孔面積の総和の他側層６０の全表面積に対する比率をいう。
【００７９】
ここで、本第１実施形態において、上述のごとく中側層５０を非通気薄膜層とし他側層６０を孔開き層とした根拠について説明する。
【００８０】
ダッシュサイレンサーＤＳは、上述したごとく、一側層４０にて、ダッシュパネル３０に沿うように配設されて支持されている。当該ダッシュサイレンサーＤＳにおいて、一側層及び中側層は、ダッシュパネル３０と共に３層積層構造体を構成する。ここで、当該３層積層構造体は、中側層５０とダッシュパネル３０との間に一側層４０を挟むように積層することで、構成されている。
【００８１】
また、一側層４０は、多孔質材料により形成されていることから、当該一側層４０は、空気層に相当する。また、中側層５０は、上述のごとく、非通気薄膜層である。従って、上述の３層積層構造体は、非通気薄膜層である中側層５０とダッシュパネル３０との間に空気層である一側層４０を挟むことで、構成されていることとなる。
【００８２】
このため、騒音がダッシュパネル３０を通り一側層４０及び中側層５０にかけて入射する過程において、ダッシュパネル３０が騒音の音圧の変動を受けて振動すると、一側層４０が当該振動に対し空気層のようなばね作用を発揮する。
【００８３】
従って、中側層５０が、一側層４０のばね作用を受けて、ダッシュパネル３０と共に振動する。このとき、非通気薄膜層である中側層５０及び多孔質材料からなる一側層４０は、騒音の音圧の変動に基づき、ダッシュパネル３０と共に、全面的に振動するため、中側層５０及び一側層４０は、ダッシュパネル３０と共に、騒音の低周波数領域において透過共鳴現象を起こし易い。
【００８４】
然るに、他側層６０が、上述のごとく、中側層５０を介し一側層４０に対向するように中側層５０に積層されている。このため、上述のように中側層５０が一側層４０及びダッシュパネル３０と共に全面的に振動すると、他側層６０が当該中側層５０の振動を受けることとなる。
【００８５】
ここで、他側層６０は孔開き層であることから、当該孔開き層は、層部分と孔開き部分とで構成される。従って、中側層５０は、孔開き層の層部分に対する対応部位にて当該層部分と共に２層の積層構造を構成するものの、孔開き層の孔開き部分に対する対応部位では、一層のままである。
【００８６】
このため、上述のように他側層６０が当該中側層５０の振動を受けると、孔開き層の孔開き部分とこれに対する中側層５０の対応部位は、中側層５０の対応部位のみの一層構造であるから、中側層５０の振動に併せて振動する。一方、孔開き層の層部分とこれに対する中側層５０の対応部位は、２層構造であるから、上述の一層構造の振動とは位相のずれを伴う振動をする。
【００８７】
換言すれば、中側層５０と他側層６０の２層積層構造においては、中側層５０のうち他側層６０である孔開き層の層部分に対する対応部位と、中側層５０のうち他側層６０である孔開き層の孔開き部分に対する対応部位との間では互いに位相のずれた振動を生ずる。
【００８８】
このため、上述のように、ダッシュサイレンサーＤＳが、中側層５０及び一側層４０にて、ダッシュパネル３０と共に、騒音の低周波数領域において、透過共鳴現象を起こし易い状況にあっても、当該透過共鳴現象の発生が、上述した中側層５０と孔開き層である他側層６０との間に生ずる振動の位相のずれに基づき、良好に抑制され得る。なお、本第１実施形態において、上述の騒音の低周波数領域は、２００（Ｈｚ）〜５００（Ｈｚ）の周波数領域である。
【００８９】
また、他側層６０が孔開き層であることから、当該他側層６０の目付量は、孔開き構造を有しない他側層に比べて、小さくなる。しかも、中側層５０は、非通気薄膜層であるから、軽量である。
【００９０】
以上のようなことから、本第１実施形態では、上述のごとく、中側層５０を非通気薄膜層とし他側層６０を孔開き層とした。
【００９１】
以上のように構成した本第１実施形態において、エンジンＥがその作動に伴いエンジン音を騒音として発生すると、当該騒音は、ダッシュパネル３０を介しダッシュサイレンサーＤＳに入射する。
【００９２】
ここで、ダッシュパネル３０は鉄板で形成されていることから、ダッシュパネル３０に入射した騒音は、当該ダッシュパネル３０によりその非通気性のもとに部分的に遮音されて、ダッシュサイレンサーＤＳに入射する。
【００９３】
このようにして騒音がダッシュサイレンサーＤＳに入射すると、当該騒音は、ダッシュパネル３０に隣接する一側層４０に入射する。ここで、一側層４０は、上述のごとく、所定の多孔質材料である上記フェルトからなる吸音層としての役割を果たすことから、一側層４０に入射した騒音は、当該一側層４０によりその通気性のもとに部分的に吸音されて当該一側層４０を通り中側層５０に入射する。
【００９４】
上述のようにして一側層４０により部分的に吸音された騒音は、当該一側層４０から中側層５０に入射する。ここで、当該中側層５０は、上述のごとく、一側融着フィルム５０ａ、バリアフィルム５０ｂ及び他側融着フィルム５０ｃを積層してなる非通気薄膜層である。
【００９５】
このため、上述のごとく中側層５０に入射した騒音は、その音圧のレベル変動に応じて中側層５０に膜振動を生じさせる。これに伴い、中側層５０は、その膜振動によって、入射騒音のエネルギーを消耗させる。換言すれば、中側層５０に入射した騒音は、一側融着フィルム５０ａ、バリアフィルム５０ｂ及び他側融着フィルム５０ｃの各々の膜振動のもとに、順次、エネルギーを消耗して、良好に低減される。このことは、中側層５０は、非通気薄膜層として、一側層４０からの騒音を良好に遮音することを意味する。
【００９６】
このように遮音されて中側層５０を透過した騒音は、他側層６０に入射する。これに伴い、当該他側層６０は、騒音の音圧のレベル変動に伴う中側層５０の膜振動に応じて当該膜振動の振動方向に振動する。
【００９７】
ここで、当該他側層６０は、所定の多孔質材料でもって上述のように構成してなる孔開き層である。従って、他側層６０に入射した騒音は、当該他側層６０により、その形成材料であるフェルトでもって低減される。また、他側層６０に入射した騒音は、他側層６０の各開孔部６１を通過する過程において当該各開孔部６１の内周面部との間の摩擦接触に基づき低減される。
【００９８】
また、上述したように、ダッシュサイレンサーＤＳにおいては、一側層４０は、多孔質材料により形成されていることから、当該一側層４０は、空気層に相当する。また、中側層５０は、上述のごとく、非通気薄膜層である。従って、ダッシュパネル３０、一側層４０及び中側層５０からなる３層積層構造体は、非通気薄膜層である中側層５０とダッシュパネル３０との間に空気層である一側層４０を挟むことで、構成されている。
【００９９】
このため、一側層４０が騒音の音圧の変動に対し空気層のようなばね作用を発揮することから、ダッシュパネル３０、一側層４０及び中側層５０は、騒音の音圧の変動に基づき共に全面的に振動する。従って、中側層５０及び一側層４０は、ダッシュパネル３０と共に、騒音の低周波数領域において透過共鳴現象を起こし易い。
【０１００】
しかしながら、上述したように、中側層５０に積層した他側層６０は、孔開き層であることから、孔開き層の孔開き部分とこれに対する中側層５０の対応部位は、中側層５０の対応部位のみの一層構造である。従って、他側層６０が中側層５０の振動を受けると、中側層５０の振動に併せて振動する。一方、他側層６０である孔開き層の層部分とこれに対する中側層５０である非通気薄膜層に対応部位は、２層構造であるから、上述の一層構造の振動とは位相のずれを伴う振動をする。
【０１０１】
このため、上述のように、ダッシュサイレンサーＤＳが、中側層５０及び一側層４０にて、ダッシュパネル３０と共に、騒音の低周波数領域において、透過共鳴現象を起こし易い状況にあっても、当該透過共鳴現象の発生が、上述した中側層５０と他側層６０との間に生ずる位相のずれに基づき、良好に抑制され得る。
【０１０２】
このことは、ダッシュパネル３０を介し当該ダッシュサイレンサーＤＳに入射する騒音が、非通気薄膜層である中側層５０と孔開き層である他側層６０との積層構造に基づき、騒音の低周波数領域における透過共鳴現象の発生を招くことなく、低周波数領域から高周波数領域にかけて広範囲に亘り、良好に吸音され遮音され得ることを意味する。
【０１０３】
以上説明したように、本第１実施形態では、ダッシュサイレンサーＤＳが、上述のような構成を有するように形成されている。従って、ダッシュサイレンサーＤＳが、中側層５０及び一側層４０にて、ダッシュパネル３０と共に、騒音の低周波数領域において、透過共鳴現象を起こし易い状況にあっても、当該透過共鳴現象の発生が、上述した中側層５０である非通気薄膜層と他側層６０である孔開き層との間に生ずる振動の位相のずれに基づき、良好に抑制され得る。
【０１０４】
このことは、当該ダッシュサイレンサーＤＳにおいて騒音の低周波数領域にて発生し易い透過共鳴現象に起因する吸音性能の低下が、上述した中側層５０と他側層６０との間に生ずる振動の位相のずれに基づき、良好に防止され得ることを意味する。
【０１０５】
これにより、当該ダッシュサイレンサーＤＳは、ダッシュパネル３０との関連において、上述のように騒音の低周波数領域にて発生し易い透過共鳴現象を抑制することで、騒音の低周波数領域から高周波数領域に亘る広い周波数範囲において、当該騒音を良好に防音可能な車両用ダッシュサイレンサーとして提供され得る。
【０１０６】
その結果、エンジンルーム１０からのエンジン音が、騒音として、ダッシュサイレンサーＤＳに入射しても、当該騒音は、その低周波数領域から高周波数領域に亘り良好に遮音し吸音される。このことは、ダッシュサイレンサーＤＳによるエンジン音に対する防音効果が、騒音の低周波数領域から高周波数領域に亘り、良好に達成され得ることを意味する。
【０１０７】
また、上述したごとく、他側層６０が孔開き層であることから、当該他側層６０の目付量は、孔開き構造を有しない他側層に比べて、小さくなる。しかも、中側層５０は、非通気薄膜層であるから、軽量である。従って、一側層４０、中側層５０及び他側層６０からなるダッシュサイレンサーＤＳは、ダッシュサイレンサーとしての軽量化にも適する。
【０１０８】
ちなみに、上述のように構成したダッシュサイレンサーＤＳを実施例１とし、この実施例１の透過音損失特性を、騒音の周波数との関係において、透過音損失試験により測定してみた。また、この測定にあたり、比較例１及び比較例２を準備してこれら両比較例１、２の透過音損失特性を、騒音の周波数との関係において、透過音損失試験により測定してみた。
【０１０９】
なお、透過音損失特性における透過音損失は、入射音と透過音との差であって、当該差が小さいほど、透過音が大きいために透過音損失が低くて遮音性能が悪く、上記差が大きい程、透過音が小さいために透過音損失が高く遮音性能が良い。従って、透過音損失が高い程、音響感度が低く、また、透過音損失が低い程、音響感度が高い。
【０１１０】
ここで、比較例１は、厚さ０．８（ｍｍ）の鉄板である。また、比較例２は、実施例１の中側層を有しない一側層と他側層の２層構造体である。当該比較例２において、一側層は、フェルトにより、厚さ２０（ｍｍ）にて目付量１，０００（ｇ／ｍ２）でもって形成されており、他側層は、フェルトにより、厚さ５（ｍｍ）にて目付量１，４００（ｇ／ｍ２）でもって形成されている。なお、比較例２の厚さは、２５（ｍｍ）である。また、比較例２において、一側層の体積密度は、実施例１の体積密度と同様の０．０５（ｇ／ｃｍ３）であり、一方、他側層の体積密度は、実施例１の体積密度と同様の０．２４（ｇ／ｃｍ３）である。
【０１１１】
実施例１及び各比較例１、２の透過音損失特性を測定したところ、各グラフ１〜３が、それぞれ、図８にて示すような折れ線グラフとして得られた。グラフ１は、実施例１の透過音損失特性を表す。また、グラフ２は、比較例２の透過音損失特性を表すとともに、グラフ３は、比較例１の透過音損失特性を表す。
【０１１２】
グラフ１によれば、透過音損失が、騒音の上記低周波数領域において、低下していないことが分かる。これは、次に述べる理由に基づく。
【０１１３】
即ち、実施例１において一側層４０と他側層６０との間に介在する中側層５０は、上述のごとく、非通気層であるため、空気層として機能しない。従って、騒音が中側層５０に入射しても、当該中側層５０は、空気層に起因するばね作用を発揮することなく、騒音の音圧のレベル変動に応じた膜振動を行う。これに伴い、他側層６０も中側層５０の膜振動に応じて振動する。
【０１１４】
ここで、中側層５０は、他側層６０に比して非常に薄く、当該他側層６０よりもはるかに軽量であることから、中側層５０及び他側層６０の各固有振動数は、互いに相違する。従って、中側層５０及び他側層６０は、その各振動態様において互いに異なるため、共振することはない。
【０１１５】
よって、グラフ１及びグラフ２を対比すれば分かるように、実施例１は、騒音の全周波数範囲である２００（Ｈｚ）〜５０００（Ｈｚ）に亘り、比較例２の透過音損失特性と実質的に同様の透過音損失特性を発揮する。
【０１１６】
ただし、実施例１において、一側層４０が、上述したごとく、ダッシュパネル３０に沿い配設されたとき、当該一側層４０は、上述した通り、空気層として機能する。従って、騒音がエンジンルーム１０からダッシュパネル３０を介し実施例１に入射したとき、ダッシュパネル３０、空気層としての一側層４０及び非通気薄膜層としての中側層５０からなる３層積層構造体において騒音の低周波数領域との関連で生じがちな透過共鳴現象が、上述のごとく、非通気薄膜層である中側層５０と孔開き層である他側層６０との積層構造でもって、良好に抑制され得る。
【０１１７】
その結果、実施例１は、上述のごとくダッシュパネル３０に沿い配設されても、騒音の低周波数領域との関連にて生じがちな透過共鳴現象を良好に抑制しつつ、一側層４０、中側層５０及び他側層６０にて、共に、中側層５０の膜振動に応じた共振を招くことなく振動し得る。
【０１１８】
また、実施例１の他側層６０は、上記構成の孔開き層であるのに対し、比較例２の他側層は、通気層であるものの、他側層６０にいうような開孔部を有さない。このため、実施例１の他側層６０の目付量は、比較例２の他側層の目付量に比して軽量である。
【０１１９】
換言すれば、実施例１のダッシュサイレンサーＤＳは、比較例２よりもはるかに軽量であるにもかかわらず、騒音の低周波数領域との関連にて生じがちな透過共鳴現象を良好に抑制しつつ、比較例２と実質的に同様の透過音損失特性を発揮し得ることが分かる。なお、グラフ３によれば、実施例１の透過音損失特性は、比較例１の透過音損失特性に比べてはるかに良好であることが分かる。
【０１２０】
さらに、実施例１及び比較例２の各吸音率特性を、騒音の周波数との関係において、残響室法吸音率試験により、測定してみた。これにより、各グラフ１−１及び２−１が、それぞれ、図９にて示す折線グラフとして得られた。ここで、グラフ１−１は、実施例１の吸音率特性を表し、グラフ２−１は、比較例２の吸音率特性を表す。
【０１２１】
両グラフ１−１、２−１を対比してみると、実施例１の吸音率特性は、比較例２の吸音率特性と実質的に同様であることが分かる。
【０１２２】
換言すれば、実施例１のダッシュサイレンサーＤＳは、上述したごとく、比較例２よりもはるかに軽量であるにもかかわらず、比較例２と実質的に同様の吸音率特性を発揮し得ることが分かる。
【０１２３】
さらに、本発明者等は、実施例１のほかにも、他側層の質量及び開孔部の開孔率を種々変更することで、ダッシュサイレンサーを複数準備した。そして、これら各ダッシュサイレンサーについて上述と同様の測定を行った。その結果、他側層６０の体積密度、厚さ及び目付量が、それぞれ、上述のごとく、０．１（ｇ／ｃｍ３）〜０．４（ｇ／ｃｍ３）、３（ｍｍ）〜１５（ｍｍ）及び１００（ｇ／ｍ２）〜１６００（ｇ／ｍ２）であり、かつ、他側層の開孔率が、５〜５０（％）にあれば、実施例１と実質的に同様のダッシュサイレンサーとしての防音効果が良好に得られることが分かった。
（第２実施形態）
図１０は、本発明の第２実施形態を示しており、当該第２実施形態では、本発明をトラックに適用した例が示されている。当該トラックは、バックパネル７０（バックボード７０ともいう）を備えている。
【０１２４】
当該バックパネル７０は、図１０にて示す縦断面湾曲形状を有するように形成されており、当該バックパネル７０は、当該トラックの車室２０ａと当該トラックの荷台１０ａとの境界に設けられて、これら荷台１０ａ及び車室２０ａを相互に区画している。
【０１２５】
なお、本第２実施形態において、バックパネル７０は、上記第１実施形態にて述べたダッシュパネル３０と同様に、厚さ０．８（ｍｍ）の鉄板でもって形成されている。また、図１０において、符号２１は、車室２０ａのリアガラスを示し、符号Ｓは、車室２０ａ内の座席を示す。
【０１２６】
また、当該トラックは、図１０にて示すごとく、バックパネルサイレンサーＢＳを備えている。このバックパネルサイレンサーＢＳは、バックパネル７０と同様の縦断面湾曲形状にて、当該バックパネル７０に沿い車室２０ａ側から組み付けられている。なお、本第２実施形態では、バックパネルサイレンサーＢＳの外形面形状（図１１参照）は、バックパネル７０の外形面形状とほぼ同一となっている。
【０１２７】
当該バックパネルサイレンサーＢＳは、図１０及び図１２にて示すごとく、上記第１実施形態にて述べたダッシュサイレンサーＤＳの一側層４０、中側層５０及び他側層６０にそれぞれ対応する一側層８０、中側層９０及び他側層１００を備えており、これら一側層８０、中側層９０及び他側層１００は、順次、当該トラックの後側から前側にかけて積層して形成されている。
【０１２８】
一側層８０は、上記第１実施形態にて述べた一側層４０と同様に、吸音層としての役割を果たすべく、当該一側層４０と同様の形成材料により、当該一側層４０と同様の体積密度、目付量及び厚さでもって、図１２にて示す縦断面形状にて、バックパネル７０に沿うように形成されている。
【０１２９】
中側層９０は、上記第１実施形態にて述べた中側層５０と同様の非通気薄膜層として、図１２にて示すごとく、一側層８０に沿うように当該一側層４０と同様の縦断面湾曲形状に形成されており、当該中側層９０は、一側層８０と他側層１００との間に挟持されている（図１２参照）。
【０１３０】
本第２実施形態において、中側層９０は、その縦断面湾曲形状において、上記第１実施形態にて述べた中側層５０とは異なるものの、当該中側層９０は、中側層５０と同様に、当該中側層５０の一側融着フィルム５０ａ、バリアフィルム５０ｂ及び他側融着フィルム５０ｃにそれぞれ対応する一側融着フィルム、バリアフィルム及び他側融着フィルム（図示しない）を積層して形成されている。
【０１３１】
当該中側層９０において、上記一側融着フィルムは、上記第１実施形態にて述べた一側融着フィルム５０ａと同様の形成材料により、当該一側融着フィルム５０ａと同様の厚さにて形成されており、上記一側融着フィルムは、その後面にて、一側層８０にその前面に沿い融着されている。
【０１３２】
また、当該中側層９０において、上記バリアフィルムは、上記第１実施形態にて述べたバリアフィルム５０ｂと同様の形成材料により、当該バリアフィルム５０ｂと同様の厚さでもって形成されており、上記バリアフィルムは、その後面にて、上記一側融着フィルムとその後面側から融着されている。
【０１３３】
さらに、当該中側層９０において、上記他側融着フィルムは、上記第１実施形態にて述べた他側融着フィルム５０ｃと同様の形成材料により、当該他側融着フィルム５０ｃと同様の厚さでもって形成されており、上記他側融着フィルムは、その後面にて、バリアフィルム５０ｂにその前面側から融着されている。
【０１３４】
他側層１００は、上記第１実施形態にて述べた他側層６０と同様の形成材料により、当該他側層６０と同様の体積密度、厚さ及び目付量でもって、当該中側層９０と同様の縦断面形状にて形成されており、当該他側層１００は、図１２にて示すごとく、中側層９０に沿うように中側層９０を介し一側層８０に対向するように当該中側層９０に沿い積層されている。
【０１３５】
ここで、他側層１００は、上記第１実施形態にて述べた他側層６０と同様に孔開き層として構成されており、当該他側層１００には、他側層６０の複数の開孔部６１に対応する複数の開孔部（図示しない）が、他側層１００の全面に亘り、開孔部６１と同様の開孔率でもって、分散して形成されている。その他の構成は、上記第１実施形態と実質的に同様である。
【０１３６】
以上のように構成した本第２実施形態において、当該トラックのエンジンがその作動に伴いエンジン音を騒音として発生すると、当該騒音は、バックパネル７０を介しバックパネルサイレンサーＢＳに入射する。
【０１３７】
ここで、バックパネル７０は、上記第１実施形態にて述べたダッシュパネル３０と同様に鉄板で形成されていることから、バックパネル７０に入射した騒音は、当該バックパネル７０によりその非通気性のもとに部分的に遮音されて、バックパネルサイレンサーＢＳに入射する。
【０１３８】
このようにして騒音がバックパネルサイレンサーＢＳに入射すると、当該騒音は、バックパネルサイレンサーＢＳに隣接する一側層８０に入射する。ここで、一側層８０は、上記第１実施形態にて述べた一側層４０と同様に、フェルトからなる吸音層としての役割を果たすことから、一側層８０に入射した騒音は、当該一側層８０によりその通気性のもとに部分的に吸音されて当該一側層８０を通り中側層９０に入射する。
【０１３９】
このようにして一側層８０により部分的に吸音された騒音は、当該一側層８０から中側層９０に入射する。ここで、当該中側層９０は、上記第１実施形態にて述べた中側層５０と同様に、上述のごとく、一側融着フィルム、バリアフィルム及び他側融着フィルムを積層してなる非通気薄膜層である。
【０１４０】
このため、上述のごとく中側層９０に入射した騒音は、その音圧のレベル変動に応じて、中側層９０に、上記第１実施形態にて述べた中側層５０と同様の膜振動を生じさせる。これに伴い、中側層９０は、その膜振動によって、入射騒音のエネルギーを消耗させる。換言すれば、中側層９０に入射した騒音は、当該中側層の一側融着フィルム、バリアフィルム及び他側融着フィルムの各々の膜振動のもとに、順次、エネルギーを消耗して、良好に低減される。このことは、中側層８０は、３層構造体の非通気薄膜層でもって、一側層８０からの騒音を良好に遮音することを意味する。
【０１４１】
このように遮音されて中側層９０を透過した騒音は、他側層１００に入射する。これに伴い、当該他側層１００は、上記第１実施形態にて述べた中側層５０の膜振動と同様に、騒音の音圧のレベル変動に伴う中側層９０の膜振動に応じて当該膜振動の振動方向に振動する。
【０１４２】
ここで、当該他側層１００は、上記第１実施形態にて述べた他側層６０と同様の形成材料でもって上述のように構成してなる孔開き層である。従って、他側層１００に入射した騒音は、当該他側層１００により、その形成材料であるフェルトでもって低減される。また、他側層１００に入射した騒音は、他側層１００の各開孔部を通過する過程において当該各開孔部の内周面部との間の摩擦接触に基づき低減される。
【０１４３】
また、上述したように、バックパネルサイレンサーＢＳにおいては、一側層８０は、多孔質材料により形成されていることから、当該一側層８０は、上記第１実施形態にて述べた一側層４０と同様に空気層に相当する。また、中側層９０は、上述のごとく、非通気薄膜層である。従って、バックパネル７０、一側層８０及び中側層９０からなる３層構造は、非通気薄膜層である中側層９０とバックパネル７０との間に空気層である一側層８０を挟むことで、構成されている。
【０１４４】
このため、一側層８０が騒音の音圧の変動に対し空気層のようなばね作用を発揮することから、バックパネル７０、一側層８０及び中側層９０は、騒音の音圧の変動に基づき共に全面的に振動する。従って、中側層９０及び一側層８０は、バックパネル７０と共に、騒音の低周波数領域において透過共鳴現象を起こし易い。
【０１４５】
しかしながら、上述したように、中側層９０に積層した他側層１００は、孔開き層であることから、他側層１００が当該中側層９０の振動を受けると、孔開き層の孔開き部分とこれに対する中側層９０の対応部位は、中側層９０の対応部位のみの一層構造であるから、中側層９０の振動に併せて振動する。一方、孔開き層の層部分とこれに対する中側層９０の対応部位は、２層構造であるから、上述の一層構造の振動とは位相のずれを伴う振動をする。
【０１４６】
このため、上述のように、バックパネルサイレンサーＢＳが、中側層９０及び一側層８０にて、バックパネル７０と共に、騒音の低周波数領域において、透過共鳴現象を起こし易い状況にあっても、当該透過共鳴現象の発生が、上述した中側層９０と他側層１００との間に生ずる位相のずれに基づき、良好に抑制され得る。
【０１４７】
従って、バックパネル７０を介し当該バックパネルサイレンサーＢＳに入射する騒音は、中側層９０と孔開き層である他側層１００との積層構造に基づき低周波数領域における透過共鳴現象の発生を招くことなく、低周波数領域から高周波数領域にかけて広範囲に亘り、良好に吸音され得る。
【０１４８】
このことは、バックパネル７０を介し当該バックパネルサイレンサーＢＳに入射する騒音が、中側層９０と孔開き層である他側層１００との積層構造に基づき低周波数領域における透過共鳴現象の発生を招くことなく、低周波数領域から高周波数領域にかけて広範囲に亘り、良好に吸音され得ることを意味する。
【０１４９】
以上説明したように、本第２実施形態では、バックパネルサイレンサーＢＳが、上述のような構成を有するように形成されているので、当該トラックの荷台１０ａからの騒音や当該トラックの後輪からの騒音が、バックパネルサイレンサーＢＳにより、良好に遮音し吸音されるので、バックパネルサイレンサーＢＳによる騒音に対する防音効果が、上記第１実施形態にて述べたダッシュサイレンサーＤＳによる場合と同様に、騒音の低周波数領域から高周波数領域に亘り、良好に達成され得る。その他の作用効果は上記第１実施形態と実質的に同様である。
(第３実施形態)
図１３は、本発明の第３実施形態の要部を示している。当該第３実施形態においては、上記第１実施形態にて述べたダッシュサイレンサーＤＳにおいて、中側層１１０が、中側層５０に代えて採用されている。
【０１５０】
中側層１１０は、上記第１実施形態にて述べた非通気薄膜層である中側層５０とは異なり、通気薄膜層として構成されている。中側層１１０は、一側層４０に沿うように中側層５０と同様縦断面湾曲形状に形成されており、当該中側層１１０は、上記第１実施形態にて述べた一側層４０と他側層６０との間に挟持されている（図２及び図１３参照）。
【０１５１】
本第３実施形態では、当該中側層１１０は、上記第１実施形態にて述べた非通気薄膜層である中側層５０とは異なり、図１３及び図１４にて示すごとく、複数の開孔部１１１を備えている。
【０１５２】
当該複数の開口部１１１は、それぞれ、中側層１１０に対しその厚さ方向に沿い横断面円形状にて貫通状に形成されている。ここで、当該複数の開孔部１１１は、中側層１１０の全面に亘り、所定の開孔率範囲以内の開孔率２．５（％）及び所定の微小開孔径範囲内の開孔径１（ｍｍ）でもって、分散するように形成されている。
【０１５３】
ここで、中側層１１０は、図１５にて示すごとく、上記第１実施形態にて述べた中側層５０を構成する一側融着フィルム５０ａ、バリアフィルム５０ｂ及び他側融着フィルム５０ｃにそれぞれ対応する一側融着フィルム１１０ａ、バリアフィルム１１０ｂ及び他側融着フィルム１１０ｃを積層して形成されている。一側融着フィルム１１０ａは、中側層５０の一側融着フィルム５０ａの形成材料及び厚さと同様の形成材料及び厚さでもって形成されており、当該一側融着フィルム１１０ａは、その前面にて、一側層４０にその後面に沿い融着されている。
【０１５４】
バリアフィルム１１０ｂは、バリアフィルム５０ｂの形成材料及び厚さと同様の形成材料及び厚さでもって形成されており、当該バリアフィルム１１０ｂは、その前面にて、一側融着フィルム１１０ａの後面に融着されている。
【０１５５】
他側融着フィルム１１０ｃは、中側層５０の他側融着フィルム５０ｃの形成材料及び厚さと同様の形成材料及び厚さでもって形成されており、当該他側融着フィルム１１０ｃは、その前面にて、バリアフィルム１１０ｂの後面に沿い融着されている。
【０１５６】
しかして、中側層１１０に形成された複数の開口部１１１は、図１５にて示すごとく、一側融着フィルム１１０ａ、バリアフィルム１１０ｂ及び他側融着フィルム１１０ｃの各対応部位に亘り貫通状に形成されている。なお、上記第１実施形態にて述べた他側層６０は、中側層１１０を介し上記第１実施形態にて述べた一側層４０に対向するように当該中側層１１０に沿い積層されている。
【０１５７】
本第３実施形態において、一側融着フィルム１１０ａ及び他側融着フィルム１１０ｃの各形成材料は中側層５０の一側融着フィルム５０ａ及び他側融着フィルム５０ｃの各形成材料と同様であり、バリアフィルム１１０ｂの形成材料は、中側層５０のバリアフィルム５０ｂの形成材料と同様であることから、上記第１実施形態と同様に、バリアフィルム１１０ｂを溶融することなく一側融着フィルム１１０ａ、バリアフィルム１１０ｂ及び他側融着フィルム１１０ｃを相互に融着することができる。
【０１５８】
なお、中側層１１０の厚さは、中側層５０の厚さと同様であり、一側融着フィルム１１０ａ、バリアフィルム１１０ｂ及び他側融着フィルム１１０ｃの各厚さの総和は、中側層５０の一側融着フィルム５０ａ、バリアフィルム５０ｂ及び他側融着フィルム５０ｃの各厚さの総和と同様である。
【０１５９】
本第３実施形態において、上述した所定の開孔率範囲及び所定の微小開孔径範囲は、それぞれ、上記第１実施形態にて述べたダッシュサイレンサーＤＳにおいて必要とされる周波数範囲内の周波数を有する騒音を、中側層１１０の膜振動と多孔質材料からなる孔開き層６０の多孔質吸音機能により良好に吸音し得るのは勿論のこと、上記第１実施形態にて述べたダッシュパネル３０、一側層４０及び中側層５０の３層積層構造体が騒音の低周波数領域にて発生し易い透過共鳴現象を、上記第１実施形態と同様に抑制し得るように、０．０１（％）〜５（％）の範囲及び０．１（ｍｍ）〜２（ｍｍ）の範囲に設定されている。
【０１６０】
ここで、所定の開孔率範囲及び所定の微小開孔径範囲が上述のごとく設定されているのは、中側層１１０の各開孔部１１１の開口率が、上述した所定の開口率範囲０．０１（％）〜５（％）から外れたり、或いは中側層１１０の各開孔部１１１の開口径が、上述した所定の微小開孔径範囲０．１（ｍｍ）〜２（ｍｍ）から外れたりすると、中側層１１０においては、騒音の低周波数領域において透過共鳴現象を発生しないためである。
【０１６１】
この点につきさらに詳細に言及すれば、上記第１実施形態にて述べたダッシュサイレンサーＤＳにおいて、ダッシュパネル３０、一側層４０及び中側層５０の３層積層構造体は、上述したごとく、騒音の低周波数領域において透過共鳴現象を発生して遮音性及び吸音性の低下を招くものの、騒音の高周波数領域における遮音性及び吸音性は良好である。つまり、ダッシュパネル３０、一側層４０及び中側層５０の３層積層構造体は、騒音の低周波数領域以外の周波数領域では、良好な遮音性及び吸音性を有する。
【０１６２】
従って、上記第１実施形態では、中側層５０に対し孔開き層である他側層６０を積層して上述した騒音の低周波数領域における透過共鳴現象の発生を抑制することで、騒音の低周波数領域から高周波数領域に亘る広い周波数範囲において、騒音の遮音性及び吸音性を良好にするようにした。なお、上記第１実施形態にいうダッシュサイレンサーＤＳが、仮に、ダッシュパネル３０との関係にて透過共鳴現象を発生しない構成を有するとすれば、騒音の低周波数領域における吸音性及び遮音性は良好であるとしても、騒音の高周波数領域における吸音性及び遮音性が低くなる。
【０１６３】
要するに、上記第１実施形態にいうダッシュサイレンサーＤＳは、上述した騒音の低周波数領域における透過共鳴現象を抑制することで、騒音の広い周波数範囲に亘り、吸音性及び遮音性を良好に確保するようにしたものである。
【０１６４】
本第３実施形態においては、上述した所定の開孔率範囲及び所定の微小開孔径範囲を、それぞれ、０．０１（％）〜５（％）の範囲及び０．１（ｍｍ）〜２（ｍｍ）の範囲に設定すれば、ダッシュパネル３０、一側層４０及び中側層１１０からなる３層積層構造体は、上記第１実施形態と同様に、騒音の高周波数領域における吸音性及び遮音性を良好に維持するものの、騒音の低周波数領域にて透過共鳴現象を発生し易いことが本発明者等により見出された。このことは、本第３実施形態にいうダッシュサイレンサーＤＳにおいて、０．０１（％）〜５（％）の範囲以内の開孔率及び０．１（ｍｍ）〜２（ｍｍ）の範囲以内の開孔径を有する中側層１１０は、通気薄膜層ではあるものの、上記第１実施形態にて述べた中側層５０である非通気薄膜層である場合と実質的に同様の良好な吸音性及び遮音性を騒音の広い周波数範囲に亘り発揮し得ることを意味する。その他の構成は、上記第１実施形態と同様である。
【０１６５】
以上のように構成した本第３実施形態において、騒音が、上記第１実施形態と同様に、ダッシュパネル３０を通り遮音されながらダッシュサイレンサーＤＳの一側層４０に入射すると、当該騒音は、上記第１実施形態と同様に、一側層４０により吸音されながら中側層１１０に入射する。
【０１６６】
ここで、当該中側層１１０は、上記第１実施形態にて述べ非通気薄膜層とは異なり、上述のごとく、一側融着フィルム１１０ａ、バリアフィルム１１０ｂ及び他側融着フィルム１１０ｃを積層してなり、かつ、開孔率２．５（％）及び開孔径１（ｍｍ）を有する複数の開孔部１１１を形成してなる通気薄膜層である。
【０１６７】
然るに、中側層１１０の各開孔部１１１の開孔率２．５（％）及び開孔径１（ｍｍ）は、上述したごとく、それぞれ、所定の開孔率範囲及び所定の微小開孔径範囲に含まれる値であるから、ダッシュパネル３０、一側層４０及び中側層１１０からなる３層積層構造体は、上記第１実施形態にて述べたダッシュパネル３０、一側層４０及び中側層５０からなる３層積層構造体と実質的に同様に、騒音の低周波数領域との関係において透過共鳴現象を生じ易い。
【０１６８】
従って、上述のごとく中側層１１０に入射した騒音は、その音圧のレベル変動に応じて中側層１１０に膜振動を生じさせる。これに伴い、中側層１１０に入射した騒音は、当該中側層１１０の複数の開孔部１１１及び一側融着フィルム１１０ａ、バリアフィルム１１０ｂ及び他側融着フィルム１１０ｃの各々の膜振動のもとに、上記第１実施形態にて述べた中側層５０の場合と実質的に同様に良好に低減される。このことは、中側層１１０は、非通気薄膜層である中側層５０とは異なり、通気薄膜層として、一側層４０からの騒音を良好に遮音することを意味する。
【０１６９】
このように遮音されて中側層１１０を透過した騒音が、他側層６０に入射すると、当該他側層６０は、騒音の音圧のレベル変動に伴う中側層１１０の膜振動に応じて当該膜振動の振動方向に振動する。これに伴い、他側層６０に入射した騒音は、上記第１実施形態と同様に、他側層６０の各開孔部６１を通過する過程において当該各開孔部６１の内周面部との間の摩擦接触に基づき低減される。
【０１７０】
また、本第３実施形態においても、一側層４０は、上記第１実施形態にて述べたように、空気層に相当する。また、中側層１１０は、上述のごとく、通気薄膜層ではあるが、開孔率２．５（％）及び開孔径１（ｍｍ）を有する複数の開孔部１１１を形成してなる通気薄膜層である。従って、ダッシュパネル３０、一側層４０及び中側層１１０からなる３層積層構造体は、開孔率２．５（％）及び開孔径１（ｍｍ）を有する複数の開孔部１１１を形成してなる通気薄膜層である中側層５０とダッシュパネル３０との間に空気層である一側層４０を挟むことで、構成されている。
【０１７１】
このため、一側層４０が騒音の音圧の変動に対し空気層のようなばね作用を発揮することから、ダッシュパネル３０、一側層４０及び中側層１１０は、騒音の音圧の変動に基づき共に全面的に振動する。従って、中側層１１０及び一側層４０は、ダッシュパネル３０と共に、開孔率２．５（％）及び開孔径１（ｍｍ）を有する複数の開孔部１１１のもと、騒音の低周波数領域において透過共鳴現象を起こし易い。
【０１７２】
しかしながら、上述したように、中側層１１０に積層した他側層６０は、孔開き層であることから、孔開き層の孔開き部分とこれに対する中側層１１０の対応部位は、中側層１１０の対応部位のみの一層構造である。従って、他側層６０が中側層１１０の振動を受けると、中側層１１０の振動に併せて振動する。一方、他側層６０である孔開き層の層部分とこれに対する中側層１１０である非通気薄膜層に対応部位は、２層構造であるから、上述の一層構造の振動とは位相のずれを伴う振動をする。
【０１７３】
このため、本第３実施形態においても、上述のように、ダッシュサイレンサーＤＳが、中側層１１０及び一側層４０にて、ダッシュパネル３０と共に、騒音の低周波数領域において、透過共鳴現象を起こし易い状況にあっても、当該透過共鳴現象の発生が、上述した中側層１１０と他側層６０との間に生ずる位相のずれに基づき、良好に抑制され得る。
【０１７４】
このことは、ダッシュパネル３０を介し当該ダッシュサイレンサーＤＳに入射する騒音が、開孔率２．５（％）及び開孔径１（ｍｍ）を有する複数の開孔部１１１を形成してなる通気薄膜層である中側層１１０と孔開き層である他側層６０との積層構造に基づき、騒音の低周波数領域における透過共鳴現象の発生を招くことなく、低周波数領域から高周波数領域にかけて広範囲に亘り、良好に吸音され遮音され得ることを意味する。
【０１７５】
以上説明したように、本第３実施形態では、ダッシュサイレンサーＤＳが、上述のような構成を有するように形成されている。従って、ダッシュサイレンサーＤＳが、開孔率２．５（％）及び開孔径１（ｍｍ）を有する複数の開孔部１１１を形成してなる通気薄膜層である中側層１１０及び一側層４０にて、ダッシュパネル３０と共に、騒音の低周波数領域において、透過共鳴現象を起こし易い状況にあっても、当該透過共鳴現象の発生が、上述した中側層１１０である通気薄膜層と他側層６０である孔開き層との間に生ずる振動の位相のずれに基づき、良好に抑制され得る。
【０１７６】
このことは、本第３実施形態においても、ダッシュサイレンサーＤＳにおいて騒音の低周波数領域にて発生し易い透過共鳴現象に起因する吸音性能の低下が、上述した中側層１１０と他側層６０との間に生ずる振動の位相のずれに基づき、良好に防止され得ることを意味する。
【０１７７】
これにより、当該ダッシュサイレンサーＤＳは、ダッシュパネル３０との関連において、上述のように騒音の低周波数領域にて発生し易い透過共鳴現象を抑制することで、騒音の低周波数領域から高周波数領域に亘る広い周波数範囲において、当該騒音を良好に防音可能な車両用ダッシュサイレンサーとして提供され得る。
【０１７８】
その結果、本第３実施形態において、エンジンルーム１０からのエンジン音が、騒音として、ダッシュサイレンサーＤＳに入射しても、当該騒音は、その低周波数領域から高周波数領域に亘り良好に遮音し吸音される。このことは、ダッシュサイレンサーＤＳによるエンジン音に対する防音効果が、騒音の低周波数領域から高周波数領域に亘り、良好に達成され得ることを意味する。なお、その他の作用効果、上記第１実施形態と同様である。
【０１７９】
ちなみに、本第３実施形態において、上述のように構成したダッシュサイレンサーＤＳを実施例４とし、この実施例４の透過音損失特性を、騒音の周波数との関係において、透過音損失試験により測定してみた。また、この測定にあたり、比較例３及び比較例５を準備してこれら両比較例３、５の透過音損失特性を、騒音の周波数との関係において、透過音損失試験により測定してみた。
【０１８０】
ここで、比較例３は、上記第１実施形態にて述べた厚さ０．８（ｍｍ）の鉄板であって、比較例１に相当する。また、比較例５は、実施例４において他側層６０を、複数の開孔部６１形成していない他側孔無し層として構成したものである。従って、比較例５は、実施例４の一側層４０及び中側層１１０に上記他側孔無し層からなる積層構造を有する。なお、比較例５は、実施例４の他側層６０を上記他側孔無し層とした点を除き、当該実施例４と同様の構成を有する。
【０１８１】
実施例４及び各比較例３、５の透過音損失特性を測定したところ、各グラフ４、５及び３が、それぞれ、図１６にて示すような折れ線グラフとして得られた。グラフ４は、実施例４の透過音損失特性を表す。また、グラフ５は、比較例５の透過音損失特性を表す．なお、グラフ３は、比較例３の透過音損失特性を表すもので、図８のグラフ３と同様である。
【０１８２】
グラフ４によれば、透過音損失が、騒音の上記低周波数領域において、低下していないことが分かる。これは、次に述べる理由に基づく。
【０１８３】
即ち、実施例４において一側層４０と他側層６０との間に介在する中側層１１０は、上述のごとく、通気層であるが、当該中側層１１０は、開孔率２．５（％）及び開孔径１（ｍｍ）を有する複数の開孔部１１１を形成してなる通気薄膜層である。
【０１８４】
ここで、各開口部１１１の開孔率及び開孔径は、それぞれ、上述した所定の開孔率範囲及び所定の微小開孔径範囲に含まれる。このため、中側層１１０は、上記第１実施形態にて述べた中側層５０である非通気層と実質的に同様の役割を果たすことから、空気層として機能しない。従って、騒音が中側層１１０に入射しても、当該中側層１１０は、空気層に起因するばね作用を発揮することなく、騒音の音圧のレベル変動に応じた膜振動を行う。これに伴い、他側層６０も中側層１１０の膜振動に応じて振動する。
【０１８５】
ここで、中側層１１０は、他側層６０に比して非常に薄く、当該他側層６０よりもはるかに軽量であることから、中側層１１０及び他側層６０の各固有振動数は、互いに相違する。従って、中側層１１０及び他側層６０は、その各振動態様において互いに異なるため、共振することはない。
【０１８６】
よって、グラフ４及びグラフ５を対比すれば分かるように、実施例４は、騒音の全周波数範囲である２００（Ｈｚ）〜５０００（Ｈｚ）に亘り、比較例５の透過音損失特性と実質的に同様の傾向を有する透過音損失特性を発揮する。
【０１８７】
ただし、実施例４において、一側層４０が、上述したごとく、ダッシュパネル３０に沿い配設されたとき、当該一側層４０は、上述した通り、空気層として機能する。従って、騒音がエンジンルーム１０からダッシュパネル３０を介し実施例４に入射したとき、ダッシュパネル３０、空気層である一側層４０及び開孔率２．５（％）及び開孔径１（ｍｍ）を有する複数の開孔部１１１を形成してなる通気薄膜層である中側層１１０からなる３層積層構造体において騒音の低周波数領域との関連で生じがちな透過共鳴現象が、上述のごとく、通気薄膜層である中側層１１０と孔開き層である他側層６０との積層構造でもって、良好に抑制され得る。
【０１８８】
その結果、実施例４は、上述のごとくダッシュパネル３０に沿い配設されても、騒音の低周波数領域との関連にて生じがちな透過共鳴現象を良好に抑制しつつ、一側層４０、中側層１１０及び他側層６０にて、共に、中側層１１０の膜振動に応じた共振を招くことなく振動し得る。
【０１８９】
また、実施例４の他側層６０は、上記構成の孔開き層であるのに対し、比較例５の他側孔無し層は、通気層であるものの、他側層６０にいうような開孔部を有さない。このため、実施例４の他側層６０の目付量は、比較例５の他側層の目付量に比して軽量である。
【０１９０】
換言すれば、実施例４のダッシュサイレンサーＤＳは、比較例５よりもはるかに軽量であるにもかかわらず、騒音の低周波数領域との関連にて生じがちな透過共鳴現象を良好に抑制しつつ、比較例５と実質的に同様の透過音損失特性を発揮し得ることが分かる。なお、グラフ３によれば、実施例４の透過音損失特性は、比較例３の透過音損失特性に比べてはるかに良好であることが分かる。
【０１９１】
さらに、実施例４及び比較例５の各吸音率特性を、騒音の周波数との関係において、残響室法吸音率試験により、測定してみた。これにより、各グラフ４−１及び５−１が、それぞれ、図１７にて示す折線グラフとして得られた。ここで、グラフ４−１は、実施例４の吸音率特性を表し、グラフ５−１は、比較例５の吸音率特性を表す。
【０１９２】
両グラフ４−１、５−１を対比してみると、実施例４の吸音率特性は、比較例５の吸音率特性と実質的に同様の傾向を有することが分かる。換言すれば、実施例４のダッシュサイレンサーＤＳは、上述したごとく、比較例５よりもはるかに軽量であるにもかかわらず、比較例５と実質的に同様の吸音率特性を発揮し得ることが分かる。
【０１９３】
さらに、本発明者等は、実施例４のほかにも、中側層の各開口部の開孔率及び開孔径や他側層の質量及び開孔部の開孔率を種々変更することで、ダッシュサイレンサーを複数準備した。そして、これら各ダッシュサイレンサーについて上述と同様の測定を行った。その結果、中側層の各開口部の開孔率及び開孔径が、それぞれ、上述した所定の開孔率範囲以内及び所定の微小開孔径範囲以内にあり、かつ、他側層６０の体積密度、厚さ及び目付量が、それぞれ、上記第１実施形態にて述べたごとく、０．１（ｇ／ｃｍ３）〜０．４（ｇ／ｃｍ３）、３（ｍｍ）〜１５（ｍｍ）及び１００（ｇ／ｍ２）〜１６００（ｇ／ｍ２）であり、かつ、他側層の開孔率が、５〜５０（％）にあれば、実施例４と実質的に同様のダッシュサイレンサーとしての防音効果が良好に得られることが分かった。
【０１９４】
なお、上記第２実施形態にて述べたバックパネルサイレンサーＢＳにおいて、中側層９０が、上記第３実施形態にて述べた中側層１１０と同様の構成を有する通気薄膜層として形成されれば、当該バックパネルサイレンサーＢＳは、上記第３実施形態にて述べたダッシュサイレンサーＤＳと同様の作用効果を達成することができる。
【０１９５】
なお、本発明の実施にあたり、上記各実施形態に限ることなく、次のような種々の変形例が挙げられる。
（１）本発明の実施にあたり、中側層５０或いは９０である非通気薄膜層は、上記第１或いは第２の実施形態にて述べたフィルムの３層構造体に限ることなく、例えば、２枚或いは２層のフィルムの積層或いは３枚或いは３層のフィルムの積層等、各種の薄い膜でもって構成されてもよい。
（２）本発明の実施にあたり、中側層１１０である通気薄膜層は、上記第３実施形態にて述べたフィルムの３層構造体に限ることなく、例えば、上述した開孔率及び開孔径を有する複数の開孔部を形成してなる２枚或いは２層のフィルムの積層或いは３枚或いは３層のフィルムの積層等、各種の薄い膜でもって構成されてもよい。
（３）本発明の実施にあたり、一側層４０或いは８０または他側層６０或いは１００の形成材料は、上記第１或いは第２の実施形態にて述べたものに限ることなく、ＰＥＴやウール等の有機繊維、グラスウール等の無機繊維の構造体材料或いはウレタンフォーム等の多孔質合成樹脂材料であってもよい。
（４）本発明の実施にあたり、他側層６０は、孔開き層であれば、多孔質材料に限ることなく、種々の合成樹脂材料でもって形成されていてもよい。
（５）本発明の実施にあたり、ダッシュサイレンサーＤＳに対する騒音としては、エンジン音に限ることなく、車室内に入る種々の騒音を含めてもよい。また、バックパネルサイレンサーＢＳに対する騒音としては、荷台１０ａや後輪からの騒音に限ることなく、車室内に入る種々の騒音を含めてもよい。
（６）本発明の実施にあたり、ダッシュサイレンサーやバックパネルサイレンサーに限ることなく、フロアサイレンサー、ピラーサイレンサー、ルーフサイレンサー、ルームパーティションサイレンサー、フードサイレンサー、エンジンアンダカバーサイレンサー、フロアカーペット等に本発明を適用してもよい。
（７）本発明の実施にあたり、他側層の開孔形状は、円に限ることなく、菱形、三角形、四角形、長楕円形その他の楕円形等のようにどのような形状であってもよい。
（８）本発明の実施にあたり、上記第１実施形態にて述べたダッシュパネル３０は、厚さ０．８（ｍｍ）の鉄板に限ることなく、エンジンルーム１０及び車室２０を相互に区画しかつ、ダッシュサイレンサーＤＳを支持するに適する金属板であれば、その厚さは、特に、０．８（ｍｍ）に限定されない。
【符号の説明】
【０１９６】
ＢＳ…バックパネルサイレンサー、ＤＳ…ダッシュサイレンサー、
３０…ダッシュパネル、４０、８０…一側層、７０…バックパネル、
５０、９０、１１０…中側層、５０ａ、１１０ａ…一側融着フィルム、
５０ｂ、１１０ｂ…バリアフィルム、５０ｃ、１１０ｃ…他側融着フィルム、
６０、１００…他側層、６１、１１１…開孔部。
【図１】
0006541948.tif 000002
【図２】
0006541948.tif 000003
【図３】
0006541948.tif 000004
【図４】
0006541948.tif 000005
【図５】
0006541948.tif 000006
【図６】
0006541948.tif 000007
【図７】
0006541948.tif 000008
【図８】
0006541948.tif 000009
【図９】
0006541948.tif 000010
【図１０】
0006541948.tif 000011
【図１１】
0006541948.tif 000012
【図１２】
0006541948.tif 000013
【図１３】
0006541948.tif 000014
【図１４】
0006541948.tif 000015
【図１５】
0006541948.tif 000016
【図１６】
0006541948.tif 000017
【図１７】
0006541948.tif 000018